(57)【要約】【課題】電気部品を確実に接続した状態で電気部品の底面に設けられた接地用のグランド面に対しグランドピンを弾性的に接触させる。【解決手段】上面にＩＣパッケージ４の載置部を有すると共にその載置部に載置されるＩＣパッケージ４のリード５と接続する複数のコンタクトピンが取り付けられたソケット本体２の中央部付近に、上記ＩＣパッケージ４の底面に設けられた接地用のグランド面２７に対し先端部３１が弾性的に接触するグランドピン２８を設け、ソケット本体２の上面側に上下動可能に組み付けられたソケットカバー３の下降に連動してグランドピン２８を押し下げると共に、ソケットカバー３が上昇する際にはコンタクトピンでＩＣパッケージ４のリード５に接続した後に、上記グランドピン２８の先端部３１をＩＣパッケージ４のグランド面２７に接触させるように動作する作動バー３３を設けたものである。【選択図】      図４
2004228042.tif 000002
【特許請求の範囲】
【請求項１】
電気部品の載置部を有すると共にその載置部に載置される電気部品のリードと接続する複数のコンタクトピンが取り付けられたソケット本体と、
このソケット本体に上下動可能に組み付けられ、その上下動により上記ソケット本体の載置部に載置される電気部品のリードを上記コンタクトピンで接続するように作動させるソケットカバーと、
を有する電気部品用ソケットであって、
上記ソケット本体に、上記電気部品の底面に設けられた接地用のグランド面に対し先端部が弾性的に接触するグランドピンを設け、
上記ソケットカバーの下降に連動してソケット本体のグランドピンを押し下げると共に、該ソケットカバーが上昇する際にはソケット本体のコンタクトピンで電気部品のリードに接続した後に、上記グランドピンの先端部を電気部品のグランド面に接触させるように動作する作動バーを設けた、
ことを特徴とする電気部品用ソケット。
【請求項２】
上記グランドピンは、作動バーの一部に接触して弾性変形しその先端部が下降する形状とされていることを特徴とする請求項１記載の電気部品用ソケット。
【請求項３】
上記グランドピンは、１本又は複数本設けられたことを特徴とする請求項１又は２記載の電気部品用ソケット。
【請求項４】
上記作動バーは、ソケット本体の対角線上にて相対する角部の間に張設されて上下動可能な部材から成ることを特徴とする請求項１記載の電気部品用ソケット。
【請求項５】
上記作動バーは、ソケット本体の対角線上にて相対する角部の間に張設されて水平方向にスライド可能な部材から成ることを特徴とする請求項１記載の電気部品用ソケット。
【請求項６】
上記作動バーは、ソケット本体の対角線上にて一つの角部から中央部付近に向けて伸び中間支点を中心に回動可能なレバーから成ることを特徴とする請求項１記載の電気部品用ソケット。
【発明の詳細な説明】
【０００１】
【発明の属する技術分野】
本発明は、ＩＣパッケージ等の電気部品を着脱可能に保持し他の電気回路装置に接続する電気部品用ソケットに関し、詳しくは、電気部品を確実に接続固定した状態でこの電気部品の底面に設けられた接地用のグランド面に対しグランドピンを弾性的に接触させる電気部品用ソケットに係るものである。
【０００２】
【従来の技術】
従来のこの種の電気部品用ソケット、特に、オープントップタイプの電気部品用ソケットは、上面に電気部品の載置部を有すると共にその載置部に載置される電気部品のリードと接続する複数のコンタクトピンが取り付けられたソケット本体と、このソケット本体の上面側に上下動可能に組み付けられ、その上下動により上記ソケット本体の載置部に載置される電気部品のリードを上記コンタクトピンで挟み込んで接続固定するように作動させるソケットカバーとを有して成っている。
【０００３】
従来のオープントップタイプの電気部品用ソケットで接続固定する電気部品としてのＩＣパッケージは、パッケージ本体の両側辺部に多数のリードが整列して突出されており、或いはパッケージ本体の全周の側辺部に多数のリードが整列して突出されている。そして、このようなＩＣパッケージを電気部品用ソケットに接続固定するには、ソケット本体の上面側に上下動可能に組み付けられたソケットカバーを押し下げて、上記ソケット本体の載置部の周囲に設けられたコンタクトピンを開き、この状態で上記載置部にＩＣパッケージのリードを載置する。その後、上記ソケットカバーの押し下げを解除すると、ソケットカバーがソケット本体に対して上昇し、上記コンタクトピンが閉じて載置部に載置されたＩＣパッケージのリードを所定の押圧力で挟み込んで、このＩＣパッケージを電気部品用ソケットに接続固定するようになっていた（例えば、特許文献１参照）。
【０００４】
【特許文献１】
特開２０００−１８２７３８号公報（第４〜５頁、図１〜図４）
【０００５】
【発明が解決しようとする課題】
しかし、最近のＩＣパッケージは、通常のコンタクトピンの他に、パッケージ底面に放熱のためとアースをとるために金属片からなるグランド面を設けたものが出てきている。そして、このようなＩＣパッケージに合わせて、パッケージ底面のグランド面に接触してアースするためのグランドピンを備えた電気部品用ソケットが望まれている。しかしながら、この要求に応えて、電気部品を確実に接続固定した状態でこの電気部品の底面に設けられた接地用のグランド面に対しグランドピンを接触させる電気部品用ソケットはまだ提供されていない。
【０００６】
ここで、上記パッケージ底面にグランド面を有するＩＣパッケージに対しては、ソケット本体の中央部付近にてグランドピンが上向きに突出することとなるので、ソケットカバーを押し下げてソケット本体の載置部の周囲に設けられたコンタクトピンを開き、上記載置部にＩＣパッケージのリードを載置した後、ソケットカバーの押し下げを解除してソケット本体に対して上昇させる際に、コンタクトピンが閉じて載置部に載置されたＩＣパッケージのリードを挟み込んで固定してからでないと、上記グランドピンでＩＣパッケージの底面を突き上げてしまい、ＩＣパッケージを電気部品用ソケットに接続固定できないこととなる。
【０００７】
したがって、載置部に載置されたＩＣパッケージのリードをコンタクトピンが挟み込んで接続固定した後に、グランドピンの先端部がＩＣパッケージのグランド面に接触するようなソケット構造としなければならないが、例えば対向する２側辺部にコンタクトピンが設けられたＳＯＰ（スモールアウトラインパッケージ）用の電気部品用ソケット、又は４辺の全周にコンタクトピンが設けられたＱＦＰ（クワッドフラットパッケージ）用の電気部品用ソケットにおいては、多数のコンタクトピンの存在によって、上記グランドピンの作動を制御する構造が組み込みにくいものであった。
【０００８】
そこで、本発明は、このような問題点に対処し、電気部品を確実に接続固定した状態でこの電気部品の底面に設けられた接地用のグランド面に対しグランドピンを弾性的に接触させる構造を有する電気部品用ソケットを提供することを目的とする。
【０００９】
【課題を解決するための手段】
上記目的を達成するために、本発明による電気部品用ソケットは、電気部品の載置部を有すると共にその載置部に載置される電気部品のリードと接続する複数のコンタクトピンが取り付けられたソケット本体と、このソケット本体に上下動可能に組み付けられ、その上下動により上記ソケット本体の載置部に載置される電気部品のリードを上記コンタクトピンで接続するように作動させるソケットカバーと、を有する電気部品用ソケットであって、上記ソケット本体に、上記電気部品の底面に設けられた接地用のグランド面に対し先端部が弾性的に接触するグランドピンを設け、上記ソケットカバーの下降に連動してソケット本体のグランドピンを押し下げると共に、このソケットカバーが上昇する際にはソケット本体のコンタクトピンで電気部品のリードに接続した後に、上記グランドピンの先端部を電気部品のグランド面に接触させるように動作する作動バーを設けたものである。
【００１０】
このような構成により、ソケットカバーの上下動に従って上下する作動バーによって、このソケットカバーの下降に連動してソケット本体のグランドピンを押し下げると共に、そのソケットカバーが上昇する際にはソケット本体のコンタクトピンで電気部品のリードに接続した後に、ソケット本体に設けられたグランドピンの先端部を電気部品の底面のグランド面に弾性的に接触させるように動作する。これにより、ソケット本体のコンタクトピンで電気部品を確実に接続した状態で、電気部品の底面に設けられた接地用のグランド面に対しグランドピンを弾性的に接触させることができる。
【００１１】
また、上記グランドピンは、作動バーの一部に接触して弾性変形しその先端部が下降する形状とされている。これにより、ソケットカバーの下降に連動してソケット本体のグランドピンを押し下げることができる。
さらに、上記グランドピンは、１本又は複数本設けられている。
【００１２】
また、上記作動バーは、ソケット本体の対角線上にて相対する角部の間に張設されて上下動可能な部材から成る。
さらに、上記作動バーは、ソケット本体の対角線上にて相対する角部の間に張設されて水平方向にスライド可能な部材から成る。
さらにまた、上記作動バーは、ソケット本体の対角線上にて一つの角部から中央部付近に向けて伸び中間支点を中心に回動可能なレバーから成る。
これらにより、ソケット本体に多数のコンタクトピンが存在していても、それらに影響されずにグランドピンの作動を制御する作動バーを組み込むことができる。
【００１３】
【発明の実施の形態】
以下、本発明の実施の形態を添付図面に基づいて詳細に説明する。
図１は本発明による電気部品用ソケットの実施の形態を示す半分断面した状態の正面図であり、図２は上記電気部品用ソケットを示す平面図である。この電気部品用ソケット１は、ＩＣパッケージ等の電気部品を着脱可能に保持し、ＩＣパッケージ等の初期不良を取り除くバーンインテスト、電気的導通テスト等において他の電気回路装置（テスト装置）に接続するもので、図１に示すように、ソケット本体２と、ソケットカバー３とを有して成る。
【００１４】
上記電気部品としてのＩＣパッケージ４は、デバイスを封入した矩形状のパッケージ本体に複数のリード５，５，…を設けたもので、パッケージ本体の両側辺部に複数のリード５，５，…が整列して突出されたものや、或いはパッケージ本体の全周の側辺部に複数のリード５，５，…が整列して突出されたものがある。ここでは、パッケージ本体の全周の側辺部に多数のリード５，５，…が突出されたＱＦＰ型のＩＣパッケージを例として述べる。そして、このＩＣパッケージ４は、通常のコンタクトピンの他に、パッケージ底面に放熱のためとアースをとるために金属片からなるグランド面２７が設けられている。
【００１５】
上記ソケット本体２は、ＩＣパッケージ４を載置して位置決めするもので、図１に示す従来公知の構造により、上面にＩＣパッケージ４の載置部を有すると共にその載置部に載置されるＩＣパッケージ４のリード５と接続する複数のコンタクトピン６，６，…が取り付けられている。これらのコンタクトピン６は、その基部７がソケット本体２のピン取付溝８に挿入されている。また、各コンタクトピン６は、ソケット本体２に形成されたリブ９で隣接する他のコンタクトピン６に接触しないように仕切られ、絶縁されている。なお、図１において符号１０は、上記コンタクトピン６の基部７から下方へ向けて突出形成された接続アームを示しており、接続アーム１０が図示外の電気回路装置に接続されるようになっている。
【００１６】
上記ソケット本体２の上面側には、ソケットカバー３が上下動可能に組み付けられている。このソケットカバー３は、その上下動によりソケット本体２の載置部に載置されるＩＣパッケージ４のリード５をコンタクトピン６で挟み込んで接続固定するように作動させるものである。
【００１７】
詳しくは、図１において、ソケット本体２の両側面部にはカバーガイド溝１１が上下方向に例えば２箇所ずつ形成され、これらのカバーガイド溝１１にスライド可能に係合するスライドガイド１２が上記カバーガイド溝１１に対応してソケットカバー３の外側面に下向きに形成されている。そして、上記カバーガイド溝１１とスライドガイド１２との係合により、ソケットカバー３がソケット本体２のカバーガイド溝１１に案内されて上下動するようになっている。なお、ソケット本体２とソケットカバー３は、絶縁性の樹脂材料で形成されている。
【００１８】
上記ソケット本体２とソケットカバー３との間には、角部に１個ずつで合計４個のカバースプリング１３が配置されている。すなわち、図１に示すように、ソケット本体２にバネ装着穴１４が形成され、ソケットカバー３には下向きにバネ支持軸１５が突出され、このバネ支持軸１５の周りにカバースプリング１３を巻き付けて上記バネ装着穴１４内に挿入されている。ここで、ソケットカバー３は、カバースプリング１３を所定量圧縮するようにソケット本体２に組み付けられ、カバースプリング１３で上向きに常時付勢されて上昇しており、ストッパ手段１６でその上方位置が固定されるようになっている。
【００１９】
次に、上記ソケット本体２の上面側にて上下動するソケットカバー３によって作動されるコンタクトピン６の細部の構造と、その動作について図３を参照して説明する。このコンタクトピン６は、例えばベリリウム銅等の導電性に優れ且つ弾性を有する材料で形成されており、図１に示す基部７に図３に示す第１のバネ部１７を介して形成された第１の接触部１８と、同じく基部７に第２のバネ部１９を介して形成された第２の接触部２０とを有している。
【００２０】
このうち、第１のバネ部１７及び第１の接触部１８は、図３においてソケット本体２の中心側に傾斜した位置から直立位置まで弾性変形させられた状態でソケット本体２のピン支持部２１に係合させられるようになっている。そして、第１の接触部１８の後端面２２は、第１のバネ部１７の弾性力でピン支持部２１の側面に押圧されている。その結果、第１の接触部１８は、図３において左右方向にずれないように位置決めされる。また、第１の接触部１８は、図３においてＩＣパッケージ４のリード５を第２の接触部２０と共働して挟持しても、ピン支持部２１の側面との接触により作用する摩擦抵抗及び第１のバネ部１７の剛性により、図３において簡単に上下方向へずれるようなことがなく、所望の接触圧でＩＣパッケージ４のリード５を挟み込むようになっている。
【００２１】
また、第２のバネ部１９の上端部には、図３に示すように、アーム２３が図中上方へ向けて伸びている。このアーム２３は、ソケットカバー３がカバースプリング１３のバネ力に抗して押し下げられると、ソケットカバー３の内側に形成された円弧状又は直線状の押圧部斜面２４で押されて、図３において実線の位置から２点鎖線の位置まで変位する。
【００２２】
このとき、第２のバネ部１９は、図３において反時計方向へ弾性的に変形する。その結果、第２の接触部２０が第１の接触部１８の上端面２５を開いて退避し、第１の接触部１８の上端面２５が解放される。この状態において、ソケットカバー３に形成されたパッケージ挿入窓２６（図１参照）から、ＩＣパッケージ４が矢印Ａのようにソケットカバー３の内部に挿入され、ＩＣパッケージ４のリード５が第１の接触部１８の上端面２５に載置される。
【００２３】
その後、ソケットカバー３に作用させていた押し下げ力を解除すると、ソケットカバー３がカバースプリング１３のバネ力により元の位置に上昇する。その結果、第２のバネ部１９が図３において２点鎖線の位置から実線の位置まで時計回り方向へ弾性的に復元し、第２の接触部２０が第２のバネ部１９の弾性力でＩＣパッケージ４のリード５を第１の接触部１８の上端面２５に対して押圧する。したがって、ＩＣパッケージ４のリード５は、第１の接触部１８と第２の接触部２０とによって所定の接触圧で挟み込まれて、確実に接続固定されることになる。そして、この状態で、図示外の電気回路装置とＩＣパッケージ４とがコンタクトピン６を介して電気的に接続され、所要の電気的テストが行われる。
【００２４】
ここで、本発明においては、図４に示すように、上記ソケット本体２の中央部付近に、ＩＣパッケージ４の底面に設けられた接地用のグランド面２７に対し先端部が弾性的に接触するグランドピン２８が設けられている。すなわち、ソケット本体２の中央部付近に差込み孔があけられ、この差込み孔にグランドピン２８の基部２９から下向きに突出した取付けピン３０を挿入して取り付けられている。このグランドピン２８は、ＩＣパッケージ４の底面のグランド面２７にその先端部３１が接触してアースをとるもので、金属で形成され、後述の作動バー３３の一部に接触して弾性変形しその先端部３１が下降する形状とされている。具体的には、基部２９から一側上方に伸びた部分に略Ｃ形状に湾曲した弾性部３２が形成され、この弾性部３２によりグランドピン２８の上部が弾性変形して先端部３１が上下に動くようになっている。
【００２５】
また、上記グランドピン２８の上方には、図４に示すように、作動バー３３が設けられている。この作動バー３３は、ソケットカバー３の下降に連動してソケット本体２のグランドピン２８を押し下げると共に、ソケットカバー３が上昇する際にはソケット本体２のコンタクトピン６（図３参照）でＩＣパッケージ４のリード５を接続固定した後に、そのグランドピン２８の先端部３１をＩＣパッケージ４のグランド面２７に接触させるように動作するものである。
【００２６】
具体的には、作動バー３３は、図５及び図６に示すように、ソケット本体２の対角線上にて相対する角部２ａ，２ｂの間に張設されて上下動可能な部材から成る。そして、作動バー３３の両端部３３ａ，３３ｂにあけられた孔を、図４に示すように、ソケットカバー３の角部に設けられたバネ支持軸１５に挿通し、その下面側にカバースプリング１３を装着して、そのカバースプリング１３の上向きの付勢力により作動バー３３の全体が、バネ支持軸１５の上端の段部に押し付けて保持されている。また、作動バー３３の中間部には、グランドピン２８の先端部３１が下から上方へ突き抜けるピン孔３４が形成されている。
【００２７】
このような状態で、図４において、ソケットカバー３がカバースプリング１３の上向きの付勢力により最も上昇した位置にあり、作動バー３３も同様にカバースプリング１３の上向きの付勢力によりバネ支持軸１５の上端の段部に保持されており、グランドピン２８の中間部の弾性部３２が上記作動バー３３の下面に接した状態となっている。したがって、ソケットカバー３を矢印Ｃ方向に押し下げると、作動バー３３も押し下げられ、これと同時に作動バー３３の下面に接したグランドピン２８も押し下げられて、その先端部３１が下降することとなる。また、ソケットカバー３を矢印Ｄ方向に上昇させると、作動バー３３も上昇して、グランドピン２８の先端部３１が作動バー３３のピン孔３４から上方へ突き抜けることとなる。
【００２８】
なお、図５においては、作動バー３３をソケット本体２の対角線上にて一対の相対する角部２ａ，２ｂの間に張設したものとしたが、本発明はこれに限らず、図７に示すように、ソケット本体２の対角線上にて二対の相対する角部２ａ，２ｂ；２ｃ，２ｄの間に十字型の作動バー３３を張設してもよい。また、ソケット本体２の中央部付近に設けるグランドピン２８は１本に限られず、図７に示すように、２本（２８ａ，２８ｂ）又はそれ以上の本数を設けてもよい。複数本のグランドピン２８を設けた場合は、ＩＣパッケージ４の電気容量が大きい場合に好適である。
【００２９】
次に、このように構成された電気部品用ソケット１の動作について説明する。まず、図１において、ＩＣパッケージ４を挿入する前は、ソケットカバー３は上昇した位置に保持されている。この状態で、図４において、ソケットカバー３を矢印Ｃ方向に押し下げる。すると、図１又は図４に示すカバースプリング１３の上向きの付勢力に抗してソケットカバー３が下降して、図３に示す押圧部斜面２４でコンタクトピン６のアーム２３を押し下げる。これにより、コンタクトピン６の第２のバネ部１９が弾性的に変形して、第２の接触部２０が第１の接触部１８の上端面２５を開いて退避し、第１の接触部１８の上端面２５が解放される。
【００３０】
これと同時に、図４において、ソケットカバー３の矢印Ｃ方向の下降に連動して、作動バー３３が下降してその下面に接したグランドピン２８も押し下げられ、中間部の弾性部３２の弾性変形によりその先端部３１がピン孔３４から下降する。これにより、電気部品用ソケット１の内部にて、ＩＣパッケージ４の載置部がパッケージの受け入れ状態となる。
【００３１】
この状態で、図１において、ソケットカバー３に形成されたパッケージ挿入窓２６から、ＩＣパッケージ４を矢印Ａのようにソケットカバー３の内部に挿入し、図３に示すように、ＩＣパッケージ４のリード５をコンタクトピン６の第１の接触部１８の上端面２５に載置する。このようにして、ＩＣパッケージ４の総てのリード５が第１の接触部１８の上端面２５に載置されたのを確認したら、前記ソケットカバー３に作用させていた押し下げ力を解除する。
【００３２】
すると、図４において、ソケットカバー３がカバースプリング１３のバネ力により矢印Ｄのように上昇する。このとき、図３において、ソケットカバー３の押圧部斜面２４によるコンタクトピン６のアーム２３に対する押し下げが無くなるので、コンタクトピン６の第２のバネ部１９が２点鎖線の位置から実線の位置まで弾性的に復元し、第２の接触部２０が第２のバネ部１９の弾性力でＩＣパッケージ４のリード５を第１の接触部１８の上端面２５に対して押圧する。これにより、ＩＣパッケージ４のリード５は、第１の接触部１８と第２の接触部２０とによって所定の接触圧で挟み込まれて、確実に接続固定される。
【００３３】
上記ソケットカバー３の矢印Ｄ方向の上昇と共に作動バー３３も上昇してグランドピン２８が上向きに弾性変形するが、上記ＩＣパッケージ４のリード５の厚み分だけ早く、コンタクトピン６の第２の接触部２０がリード５を第１の接触部１８の上端面２５に対して押圧することとなる。したがって、コンタクトピン６でＩＣパッケージ４のリード５を接続固定した後に、グランドピン２８が上向きに弾性変形してその先端部３１が作動バー３３のピン孔３４から上方へ突き抜けることとなる。そして、図４に示すように、グランドピン２８の先端部３１がＩＣパッケージ４の底面のグランド面２７に弾性的に接触してアースする。このことから、グランドピン２８でＩＣパッケージ４の底面を突き上げることなく、電気部品用ソケット１に接続固定することができる。
【００３４】
そして、この状態で、図示外の電気回路装置とＩＣパッケージ４とがコンタクトピン６を介して電気的に接続され、所要の電気的テストが行われる。
【００３５】
図８は、本発明による電気部品用ソケットの第二の実施形態を示す図４と同様の要部断面図である。この実施形態は、グランドピン２８の形状を少し変えて、基部２９から一側上方に伸びた略Ｃ形状の弾性部３２の一部にトリガー部３５を突出させている。また、作動バー３３を、ソケット本体２の対角線上にて一つの角部から中央部付近に向けて伸び中間支点３６を中心に回動可能なレバー（てこ）から成るものとし、その作動バー３３の先端部が上記トリガー部３５に係合している。そして、ソケットカバー３からは操作棒３７が垂れ下がっており、この操作棒３７の先端部が作動バー３３の基端部に接触している。
【００３６】
このような構造で、ソケットカバー３がカバースプリング１３のバネ力により矢印Ｄのように上昇した状態で、グランドピン２８の弾性部３２のトリガー部３５と係合した作動バー３３は、弾性部３２の弾性力によって中間支点３６を中心に時計回りに付勢されて略水平方向の状態となり、その基端部がソケットカバー３の操作棒３７の先端部に接触して保持されている。
【００３７】
そして、このような状態で、ソケットカバー３を矢印Ｃ方向に押し下げると、操作棒３７に押されて作動バー３３が中間支点３６を中心に矢印Ｅ方向に回動し、作動バー３３の先端部とグランドピン２８のトリガー部３５との係合により弾性部３２が弾性変形して、先端部３１が矢印Ｆ方向に回動して下降する。これにより、図１において、ＩＣパッケージ４を矢印Ａのようにソケットカバー３の内部に挿入した際に、グランドピン２８の先端部３１でＩＣパッケージ４の底面を突き上げることなく、電気部品用ソケット１に接続固定することができる。この場合、作動バー３３の中間支点３６を中心とする両側方のレバーの長さを変えることにより、グランドピン２８の先端部３１の上下動のタイミングを調整することができる。
【００３８】
図９は、本発明による電気部品用ソケットの第三の実施形態を示す部品展開斜視図である。この実施形態は、グランドピン２８の形状を図８の実施形態に対し少し変えて、トリガー部３５を先端部３１と反対側に延長している。また、作動バー３３は、ソケット本体２の対角線上にて相対する角部２ａ，２ｂの間に張設されて水平方向にスライド可能な部材から成るものとしている。なお、図９において、符号４０はＩＣパッケージ４の載置部となるシーティング部材を示している。
【００３９】
具体的には、ソケットカバー３から垂れ下がった操作棒３７の先端部が作動バー３３の基端部に接触するようになっている。また、作動バー３３の操作棒３７側の端部には図９で右傾斜の第１のテーパー面３８が形成されており、作動バー３３の他端部にてグランドピン２８のトリガー部３５に対応する端部には図９で左傾斜の第２のテーパー面３９が形成されている。この状態で、水平に張設された作動バー３３の第１のテーパー面３８に対してソケットカバー３の操作棒３７の先端部が係合し、第２のテーパー面３９に対して上記グランドピン２８のトリガー部３５が係合している。なお、作動バー３３は、図示省略のスプリング等の弾性部材で、常時第１のテーパー面３８側に寄るように付勢されている。
【００４０】
このような構造で、ソケットカバー３が図４に示すカバースプリング１３のバネ力により矢印Ｄのように上昇した状態で、作動バー３３が第１のテーパー面３８側にスライドして寄っており、作動バー３３の第１のテーパー面３８に対してソケットカバー３の操作棒３７の先端部が係合し、第２のテーパー面３９に対して上記グランドピン２８のトリガー部３５が係合して、先端部３１は上昇している。
【００４１】
そして、このような状態で、ソケットカバー３を矢印Ｃ方向に押し下げると、操作棒３７に押されて作動バー３３が矢印Ｇ方向にスライドし、この作動バー３３のスライドにより第２のテーパー面３９に係合するグランドピン２８のトリガー部３５が矢印Ｈ方向に上昇して、弾性部３２の弾性変形により先端部３１が回動しながら矢印Ｊ方向に下降する。これにより、図１において、ＩＣパッケージ４を矢印Ａのようにソケットカバー３の内部に挿入した際に、グランドピン２８の先端部３１でＩＣパッケージ４の底面を突き上げることなく、電気部品用ソケット１に接続固定することができる。
【００４２】
なお、グランドピン２８及び作動バー３３の形状、並びにそれらの組み付け構造は、図４〜図９に示したものに限られず、ソケットカバー３の下降に連動してグランドピン２８を押し下げると共に、ソケットカバー３が上昇する際にはソケット本体２のコンタクトピン６でＩＣパッケージ４のリード５を接続固定した後に、上記グランドピン２８の先端部３１をＩＣパッケージ４のグランド面２７に接触させるように動作するものであるならば、どのような形状及び構造であってもよい。また、ＩＣパッケージ４は、側方にリード５を突出させたものに限られず、パッケージ本体の下面に接続端子とグランド面２７を有するものであってもよく、本発明を同様に適用することができる。
【００４３】
【発明の効果】
本発明は以上のように構成されたので、請求項１〜３に係る発明によれば、ソケットカバーの上下動に従って上下する作動バーによって、ソケットカバーの下降に連動してソケット本体のグランドピンを押し下げると共に、そのソケットカバーが上昇する際にはソケット本体のコンタクトピンで電気部品のリードに接続した後に、ソケット本体に設けられたグランドピンの先端部を電気部品の底面のグランド面に弾性的に接触させることができる。これにより、ソケット本体のコンタクトピンで電気部品を確実に接続した状態で、この電気部品の底面に設けられた接地用のグランド面に対しグランドピンを弾性的に接触させることができる。したがって、電気部品を挿入する際に、グランドピンで電気部品の底面を突き上げることなく、その電気部品を電気部品用ソケットに確実に接続することができる。
【００４４】
また、請求項４〜６に係る発明によれば、グランドピンの先端部を電気部品のグランド面に弾性的に接触させるように動作する作動バーがソケット本体の対角線上にて相対する角部の間に設けられていることから、例えばＳＯＰタイプのＩＣパッケージ或いはＱＦＰタイプのＩＣパッケージ用の電気部品用ソケットのようにソケット本体に多数のコンタクトピンが存在していても、それらに影響されずにグランドピンの作動を制御する作動バーを組み込むことができる。
【図面の簡単な説明】
【図１】本発明による電気部品用ソケットの実施の形態を示す半分断面した状態の正面図である。
【図２】上記電気部品用ソケットを示す平面図である。
【図３】ソケット本体内に取り付けられたコンタクトピンの細部の構造とその動作を説明する要部拡大断面図である。
【図４】ソケット本体の中央部付近に設けられたグランドピンと作動バーとの取り付け構造を示す図２のＢ−Ｂ線断面図である。
【図５】ソケット本体に対する作動バーの取り付け状態を示す平面図である。
【図６】ソケット本体に対する作動バーの取り付け状態を説明する部分断面斜視図である。
【図７】ソケット本体に対する作動バーの取り付け状態の他の例を示す平面図である。
【図８】本発明による電気部品用ソケットの第二の実施形態を示す図４と同様の要部断面図である。
【図９】本発明による電気部品用ソケットの第三の実施形態を示す部品展開斜視図である。
【符号の説明】
１…電気部品用ソケット
２…ソケット本体
３…ソケットカバー
４…ＩＣパッケージ（電気部品）
５…ＩＣパッケージのリード
６…コンタクトピン
１３…カバースプリング
１５…バネ支持軸
１８…コンタクトピンの第１の接触部
２０…コンタクトピンの第２の接触部
２３…コンタクトピンのアーム
２４…ソケットカバーの押圧部斜面
２６…ソケットカバーのパッケージ挿入窓
２７…ＩＣパッケージのグランド面
２８…グランドピン
３１…グランドピンの先端部
３２…グランドピンの弾性部
３３…作動バー
３５…グランドピンのトリガー部
３７…ソケットカバーの操作棒
３８…作動バーの第１のテーパー面
３９…作動バーの第２のテーパー面
【図１】
2004228042.tif 000003
【図２】
2004228042.tif 000004
【図３】
2004228042.tif 000005
【図４】
2004228042.tif 000006
【図５】
2004228042.tif 000007
【図６】
2004228042.tif 000008
【図７】
2004228042.tif 000009
【図８】
2004228042.tif 000010
【図９】
2004228042.tif 000011